(57)【要約】【課題】環境試験槽の給水タンクに接続されて給水を行う給水用台車に関するものである。【解決手段】環境試験器のキャスタで支持された底壁部の下の下部空間に挿入可能な台車の脚台部と、該脚台部の端部で立設されたハンドル部と、該ハンドル部の中途位置で脚台部と同じ方向に突出すると共に、環境試験槽の下部に配置された機械室と該機械室を開閉する下部の扉の間に収納可能な大きさで上面が開放したタンク収納部と、該タンク収納部に収納されるカートリッジタンクと、該カートリッジタンクに設けられた吐出口と、前記タンク収納部に穿設されて前記吐出口と給水タンクの接続管とを連結される開口部とを備えてなることを特徴とする。【選択図】図１
0003174340.tif 000002
【実用新案登録請求の範囲】
【請求項１】
環境試験槽の給水タンクに接続されて給水を行う給水用台車であって、
環境試験器のキャスタで支持された底壁部の下の下部空間に挿入可能な台車の脚台部と、該脚台部の端部で立設されたハンドル部と、該ハンドル部の中途位置で脚台部と同じ方向に突出すると共に、環境試験槽の下部に配置された機械室と該機械室を開閉する下部の扉の間に収納可能な大きさで上面が開放したタンク収納部と、該タンク収納部に収納されるカートリッジタンクと、該カートリッジタンクに設けられた吐出口と、前記タンク収納部に穿設されて前記吐出口と給水タンクの接続管とを連結される開口部とを備えてなることを特徴とする給水用台車。
【請求項２】
脚台部が左右一対のフォーク状に延びる側片と、該側片の基端で直交する横架片とで平面視略コ字状に形成され、４隅に車輪を有し、前記横架片にハンドル部を立設してなることを特徴とする請求項１に記載の給水用台車。
【請求項３】
カートリッジタンクが、一方の側壁面の下部に吐出口を突設しており、
タンク収納部が、一方の側壁面の略中央に、上端が開口するＵ字状の開口部を穿設しており、カートリッジタンク６を前記タンク収納部に収納する際に、前記吐出口が開口部に沿って下降しうるようになっていることを特徴とする請求項１に記載の給水用台車。
【考案の詳細な説明】
【技術分野】
【０００１】
本考案は、環境試験槽の給水タンクに接続されて給水を行う給水用台車に関するものである。
【背景技術】
【０００２】
環境試験槽では、試験槽を加湿試験等するために給水タンクが設けられている。
一般にカートリッジタンクを用いる給水用等のタンクとしては、例えば、特開２０１０−２３６７９４号に一例を示すように、カートリッジタンクの開閉弁付き口蓋を下に向けて受け皿の開口部に装着すると、突起が口蓋に内装してある開閉弁を押し開いてカートリッジタンク内の液体を受け皿に供給する構造が用いられている。
カートリッジタンクは、その容量が大きい程、補充の間隔が長くなり手間がかからないが、容量が大きいために重量も増え、補充作業に手間がかかるという問題点がある。
そこで、従来の環境試験槽の給水タンク構造として、受け皿を大きくした固定タンクとカートリッジタンクとを併用した構造が知られている。
この場合、環境試験槽のハウジングに前後に傾動させ、又は平行にスライドさせる引出しを設け、該引出しの内側に収納部を設け、その収納部の下部に固定タンクを設け、該固定タンクの中央で窪む開口部にカートリッジタンクの開閉弁付き口蓋を嵌合して開閉弁を開き使用に供する構造となっている。
しかし、上記構成の場合もカートリッジタンクは固定タンクから上に引き上げて、手で提げたまま持ち運んで水を補給する必要があり、また台車にカートリッジを乗せて運ぶ場合には、別途、台車を用意する手間がかかるので、カートリッジ単体の場合に比べて程度の差はあるものの、やはり補給作業に手間がかかる点は十分には解消できなかった。
【先行技術文献】
【特許文献】
【０００３】
【特許文献１】特開２０１０−２３６７９４号公報
【考案の概要】
【考案が解決しようとする課題】
【０００４】
この考案が解決しようとする問題点は、台車に設けた収納部にカートリッジタンクを収納しうるようにすると共に、台車毎、環境試験槽に着脱できるようにした点にある。
【課題を解決するための手段】
【０００５】
上記課題を解決するために、請求項１の考案では、
環境試験槽の給水タンクに接続されて給水を行う給水用台車であって、
環境試験器のキャスタで支持された底壁部の下の下部空間に挿入可能な台車の脚台部と、該脚台部の端部で立設されたハンドル部と、該ハンドル部の中途位置で脚台部と同じ方向に突出すると共に、環境試験槽の下部に配置された機械室と該機械室を開閉する下部の扉の間に収納可能な大きさで上面が開放したタンク収納部と、該タンク収納部に収納されるカートリッジタンクと、該カートリッジタンクに設けられた吐出口と、前記タンク収納部に穿設されて前記吐出口と給水タンクの接続管とを連結される開口部とを備えてなることを特徴とする。
また請求項２の考案では、
前記脚台部が左右一対のフォーク状に延びる側片と、該側片の基端で直交する横架片とで平面視略コ字状に形成され、４隅に車輪を有し、前記横架片にハンドル部を立設してなることを特徴とする。
請求項３の考案では、
前記カートリッジタンクが、一方の側壁面の下部に吐出口を突設しており、
タンク収納部が、一方の側壁面の略中央に、上端が開口するＵ字状の開口部を穿設しており、カートリッジタンク６を前記タンク収納部に収納する際に、前記吐出口が開口部に沿って下降しうるようになっていることを特徴とする。
【考案の効果】
【０００６】
本考案の給水タンク構造は、環境試験槽のハウジングに設けた開閉扉を開き、給水ポンプの連結部からカートリッジタンク側の開閉弁を外すことで台車が自由になるので、環境試験槽の台車収納空間から台車毎移動、走行させ、給水所でカートリッジタンクに給水することができる。
給水したカートリッジタンクは、同様に台車毎走行させて環境試験槽の台車収納空間に戻し、前記給水ポンプの連結部にカートリッジタンク側の開閉弁を連結し、開閉扉を閉じて給水の使用に供することができる。
【図面の簡単な説明】
【０００７】
【図１】図１はタンク用台車の斜視図であって、カートリッジタンクの収納前の状態を示す図である。
【図２】図２は図１の反対側から見たカートリッジタンクの収納後の台車の斜視図である。
【図３（ａ）】図３（ａ）は、環境試験器の空間に台車を装着した状態を示す側断面図である。
【図３（ｂ）】図３（ｂ）は、環境試験器の空間に台車を装着した状態を示す図であって、異なる空間の構造を示す側断面図である。
【図４】環境試験器の一例を示す斜視図である。
【考案を実施するための形態】
【０００８】
カートリッジタンクを台車の収納部に収納し、台車毎、環境試験槽に装着しうるようにして、簡単な構成で給水作業の簡易化を実現した。
以下にこの考案を恒温恒湿試験を行う環境試験器に適用した場合の好適実施例について図面を参照しながら説明する。
【実施例１】
【０００９】
［環境試験器］
環境試験器１０は、図４に一例を示すように、上部に供試体を出入する扉１１を備え、下部に機械室を開閉する扉１２を備えたボックス状のハウジング１０Ａを有している。
そして、前記上部の扉１１内には、図示しないが、供試体の環境テストを行う試験室と、該試験室と隔壁で仕切られて、恒温、恒湿の環境を形成する空調室とを設け、下部の扉１２内には機械室が設けられており、該機械室と下部の扉１２の間にカートリッジタンクを収納したタンク用台車１が配置されるようになっている。
【００１０】
［タンク用台車］
タンク用台車１は、隅部にキャスタ等の車輪３を有する脚台部２と、該脚台部２の端部側から垂直に立設するハンドル部４と、ハンドル部４の中途位置に固定され側片２ａの突出方向に突設されたボックス状のタンク収納部５と、該タンク収納部５に嵌脱可能に挿入されるカートリッジタンク７とからなっている。
【００１１】
［脚台部］
脚台部２は、左右一対にフォーク状に延びる側片２ａと、該側片２ａの基端で直交する横架片２ｂとで平面視略コ字状に形成され、４隅にキャスタ等の車輪３を有している。
【００１２】
［ハンドル部］
ハンドル部４は、図示例の場合、倒立略Ｕ字状のパイプからなっており、下端を前記横架片２ｂの外端寄りに固定して、垂直に起立している。
【００１３】
[タンク収納部]
上記ハンドル部４の中途位置には、上面が開放されたボックス状のタンク収納部５を、前記脚台部２の延出方向と同じ方向に突設している。
該タンク収納部５は、ハンドル部４に固定されるものでも、あるいは所定位置に掛止められるものでもよい。
本実施例では、タンク収納部５は、一方の側壁面の略中央に、上端が開口するＵ字状の開口部６を穿設している。
【００１４】
［カートリッジタンク］
カートリッジタンク７は、その少なくとも下部側を前記タンク収納部５に収納しうる外形に形成されており、図示例の場合、上面の一方側に開閉蓋を設けた注ぎ口部７ａを有し、上面中央に把持部７ｂを有しており、一方の側壁面の下部に吐出口８を突設した構造からなっている。
【００１５】
上記吐出口８の位置は、前記タンク収納部５にカートリッジタンク６を収納した際に、吐出口８がタンク収納部５の開口部６に沿って下端側まで下降しうるようになっている。
吐出口８は、キャップで着脱可能に塞がれた吐出用の筒部であってもよいが、開閉弁を内蔵した栓構造であってもよい。
【００１６】
環境試験器１０の機械室と下部の扉１２の間には、タンク用台車１を収納するための空間Ｓが予め形成されている。
また、空間Ｓに収納されるタンク用台車１が定位置に収納されるように、台車位置ガイド手段または台車固定手段を設けることが好ましい。
【００１７】
例えば、図３（ａ）では、環境試験器１０の底壁部１０Ｂがタンク用台車１を収納する所定長さ分、前方へ突出しており、該底壁部１０Ｂを支持するキャスタ１０Ｃとの間には下部空間Ｓ１が空いている。
これにより、タンク用台車１の脚台部２を前記下部空間Ｓ１に差込ながら前進させると、ハンドル部４が底壁部１０Ｂの先端と衝合する。
この際に、前記タンク収納部５は、底壁部１０Ｂの突出長さ以内の長さに設定しておけばよく、また、タンク収納部５の底面は、底壁部１０Ｂの上面より上方に設定しておけばよい。
【００１８】
また下部の扉１２は、ハンドル部４の厚み分だけ空間部Ｓ２を有して閉まる形状としておけばよい。
これにより、タンク用台車１は、ハンドル部４が底壁部１０Ｂに当たるまで進めて前方が位置決めされ、下部の扉１２を閉めることでハンドル部４の後方の位置決めを行うことができる。
【００１９】
左右方向の位置決めは、例えばタンク収納部５の左右の壁面の左右方向の動きを拘束する拘束片１５を機械室内部の前面壁１４に設け、あるいはハンドル部４の左右方向の動きを拘束する拘束片１５’を下部の扉１２の内壁面に設けてもよい。
【００２０】
これにより、タンク用台車１は、前後左右方向に動きが拘束されて、給水を行うことができる。
拘束片はバネでもよいし、タンク収納部５やハンドル部４が鉄などの場合には磁石でもよい。
【００２１】
下部の扉１２に前記空間部Ｓ２を設けない場合には、例えば前記底壁部１０Ｂにハンドル部４を収納する凹状の窪み部１０Ｄを形成しておき、該窪み部１０Ｄ内にハンドル部４が収納するようにしてもよい（図３（ｂ）参照）。
この場合、窪み部１０Ｄの左右の内壁面をハンドル部４の外側を拘束しうる形状にしておけば左右方向の位置決めも同時に行うことができる。
【００２２】
台車位置ガイド手段は、その他、左右方向または前後方向に係脱する１組の係合手段の一方をタンク用台車１の任意の個所に設け、他方を環境試験器１０の対向する個所に設けてもよい。
また、台車位置ガイド部に代えて、タンク用台車１の車輪３の動きを拘束するロック手段を設けておき、給水位置で車輪３をロックして動かないようにしてもよい。
その他、要するにこの考案の要旨を変更しない範囲で種々設計変更することができる。
【符号の説明】
【００２３】
１    タンク用台車
２    脚台部
３    車輪
４    ハンドル部
５    タンク収納部
６    開口部
７    カートリッジタンク
８    吐出口
１０    環境試験器
１０Ａ  ハウジング
１０Ｂ  底壁部
１０Ｄ  窪み部
１１    上部の扉
１２    下部の扉
Ｓ    タンク用台車を収納するための空間
Ｓ１  下部空間
Ｓ２  下部扉の空間部
【図１】
0003174340.tif 000003
【図２】
0003174340.tif 000004
【図３（ａ）】
0003174340.tif 000005
【図３（ｂ）】
0003174340.tif 000006
【図４】
0003174340.tif 000007